(57)【要約】【課題】移動体の移動にともなって通信品質が変動する状況において、移動体に設けられた記憶部及びネットワーク上の記憶装置への情報の記憶についての管理を適切に行うことのできる「情報記憶管理装置」を提供することである。【解決手段】予測通信品質として取得する予測通信品質取得手段（Ｓ１４）と、前記予測通信品質に基づいて前記記憶部の基準空き領域量を設定する基準空き領域量設定手段（Ｓ１５）と、前記記憶部の空き領域の量が前記基準空き領域量より大きいときに記憶部への情報の記憶を開始させる第１情報記憶開始制御手段（Ｓ１８）と、前記記憶部に情報が記憶されている際に、前記記憶部の空き領域の量が前記基準空き領域量に達したときに前記通信インフラを介した前記記憶装置への記憶を開始させる第２情報記憶開始制御手段（Ｓ２４）とを有する構成となる。【選択図】図２
2014165567.tif 000002
【特許請求の範囲】
【請求項１】
移動体に搭載された情報記憶管理装置であって、
当該移動体に設けられた記憶部に情報を記憶させる第１記憶制御手段と、
前記記憶部に既に記憶されている情報を所定の通信インフラを介して所定のネットワーク上の記憶装置に記憶させる第２記憶制御手段と、
前記移動体の予め定められた移動経路において前記通信インフラを介した通信の予測される品質を予測通信品質として取得する予測通信品質取得手段と、
該予測通信品質取得手段にて得られた前記予測通信品質に基づいて前記記憶部の基準空き領域量を設定する基準空き領域量設定手段と、
前記記憶部の空き領域の量が前記基準空き領域量設定手段にて設定された前記基準空き領域量より大きいときに前記第１記憶制御手段による前記記憶部への情報の記憶を開始させる第１情報記憶開始制御手段と、
前記第１記憶制御手段により前記記憶部に情報が記憶されている際に、前記記憶部の空き領域の量が前記基準空き領域量に達したときに前記第２記憶制御手段による前記通信インフラを介した前記記憶装置への記憶を開始させる第２情報記憶開始制御手段とを有する情報記憶管理装置。
【請求項２】
前記基準空き領域量設定手段は、前記予測通信品質とともに前記第１記憶制御手段により前記記憶部に記憶されるべき情報の量に基づいて前記基準空き領域量を設定する請求項１記載の情報記憶管理装置。
【請求項３】
前記予測通信品質取得手段にて取得される予測通信品質が、実質的に情報通信ができないほどの品質である場合、前記基準空き領域設定手段は、前記第１記憶制御手段により前記記憶部に記憶されるべき情報の量以上の基準空き領域量を設定する請求項１または２記載の情報記憶管理装置。
【請求項４】
前記予測通信品質取得手段にて取得される予測通信品質が、前記第１記憶制御手段により前記記憶部に情報を記憶させるレート以上のレートでの情報通信が可能なほどの品質である場合、前記基準空き領域設定手段は、実質ゼロの基準空き領域量を設定する請求項１乃至３のいずれかに記載の情報記憶管理装置。
【請求項５】
前記移動体は、車両であって、
前記予測通信品質取得手段は、車両の現在位置から目的地までの走行経路において前記通信インフラを介した通信の予測される品質を予測通信品質として取得する請求項１乃至４のいずれかに記載の情報記憶管理装置。
【請求項６】
道路地図に表される各道路上の位置に対応付けられた前記通信インフラとの通信の品質を表す通信品質データベースを記憶するデータベース記憶部を有し、
前記予測通信品質取得手段は、前記通信品質データベースを用いて前記予測通信品質を取得する請求項５記載の情報記憶管理装置。
【発明の詳細な説明】
【技術分野】
【０００１】
本発明は、車両等の移動体に搭載された情報記憶管理装置に係り、詳しくは、当該移動体に設けられたＨＤＤ等の記憶部及びインターネット等のネットワーク上の記憶装置への情報の記憶についての管理を行う情報記憶管理装置に関する。
【背景技術】
【０００２】
従来、インターネット上のプロバイダのシステムから情報を携帯電話の回線を利用してダウンロードする車載通信装置が知られている（特許文献１）。この車載通信装置では、プロバイダのシステムからのダウンロードに要する時間が計算されるとともに、車両が走行する際に通信不能領域に到達するまでの時間が通信可能時間として取得され、前記ダウンロードに要する時間が通信可能時間より小さい場合に、前記携帯電話の回線を利用した情報のダウンロードが実行される。これにより、車両が走行する際に、携帯電話の回線を利用した通信が途切れて途中で情報のダウンロードができなくなってしまうことを回避することができる。
【先行技術文献】
【特許文献】
【０００３】
【特許文献１】特開２００５−２６７３１号公報
【発明の概要】
【発明が解決しようとする課題】
【０００４】
ところで、インターネット等のネットワーク上のシステムから情報をダウンロードするのではなく、通信インフラ（携帯電話通信網、WiFi通信網等）を介して車載機器等のように移動体に搭載された機器で利用される情報をインターネット等のネットワーク（クラウド）上の記憶装置（ストレージサーバ等）に情報を記憶させる（アップロード）することが考えられる。この場合も、前述した従来の車載通信装置と同様に、車両等の移動体が移動する際に、常に良好な通信品質が保たれるとは限らないということが考慮されなければならない。
【０００５】
本発明は、このような事情に鑑みてなされたもので、移動体の移動にともなって通信品質が変動する状況において、移動体に設けられた記憶部及びネットワーク上の記憶装置への情報の記憶についての管理を適切に行うことのできる情報記憶管理装置するものである。
【課題を解決するための手段】
【０００６】
本発明に係る情報記憶管理装置は、移動体に搭載された情報記憶管理装置であって、当該移動体に設けられた記憶部に情報を記憶させる第１記憶制御手段と、前記記憶部に既に記憶されている情報を所定の通信インフラを介して所定のネットワーク上の記憶装置に記憶させる第２記憶制御手段と、前記移動体の予め定められた移動経路において前記通信インフラを介した通信の予測される品質を予測通信品質として取得する予測通信品質取得手段と、該予測通信品質取得手段にて得られた前記予測通信品質に基づいて前記記憶部の基準空き領域量を設定する基準空き領域量設定手段と、前記記憶部の空き領域の量が前記基準空き領域量設定手段にて設定された前記基準空き領域量より大きいときに前記第１記憶制御手段による前記記憶部への情報の記憶を開始させる第１情報記憶開始制御手段と、前記第１記憶制御手段により前記記憶部に情報が記憶されている際に、前記記憶部の空き領域の量が前記基準空き領域量に達したときに前記第２記憶制御手段による前記通信インフラを介した前記記憶装置への記憶を開始させる第２情報記憶開始制御手段とを有する構成となる。
【０００７】
このような構成により、記憶部の空き領域の量が、移動体の予め定められた移動経路での予想通信品質に基づいて設定された基準空き領域量より大きいときに、該記憶部への情報の記憶が開始される。そして、その記憶部の空き領域の量が前記基準空き領域量に達したときに前記記憶部に既に記憶されている情報の所定の通信インフラを介した所定のネットワーク上の記憶装置への記憶が開始される。基準空き領域量が予測通信品質に基づいて設定されるので、その予測通信品質に応じて記憶部への情報の記憶開始のタイミング及び該記憶部からネットワーク上の記憶装置への情報の記憶開始タイミングを制御することができる。
【０００８】
本発明に係る情報記憶管理装置において、前記基準空き領域量設定手段は、前記予測通信品質とともに前記第１記憶制御手段により前記記憶部に記憶されるべき情報の量に基づいて前記基準空き領域量を設定する構成とすることができる。
【０００９】
このような構成により、記憶部への情報の記憶を開始するタイミング及び該記憶部に既に記憶した情報のネットワーク上の記憶装置への記憶を開始するタイミングを決める基準空き領域量が、予測通信品質とともに記憶部に記憶されるべき情報の量に基づいて設定されるので、当該量の情報の記憶部への記憶を開始するタイミング及びその記憶部に既に記憶された情報のネットワーク上の記憶装置への記憶を開始するタイミングをより適切に制御することができる。
【００１０】
また、本発明に係る情報記憶管理装置において、前記予測通信品質取得手段にて取得される予測通信品質が、実質的に情報通信ができないほどの品質である場合、前記基準空き領域設定手段は、前記第１記憶制御手段により前記記憶部に記憶されるべき情報の量以上の基準空き領域量を設定する構成とすることができる。
【００１１】
このような構成により、記憶部の空き領域の量が、当該記憶部に記憶すべき情報の量以上の基準空き領域量より大きいときに、当該記憶部への情報の記憶が開始されるようになるので、通信インフラとの通信の予測通信品質が実質的に情報通信できないほどの品質で、ネットワーク上の記憶装置への情報の記憶ができない状況であっても、全ての情報を記憶部に記憶させることができる。
【００１２】
また、本発明に係る情報記憶管理装置において、前記予測通信品質取得手段にて取得される予測通信品質が、前記第１記憶制御手段により前記記憶部に情報を記憶させるレート以上のレートでの情報通信が可能なほどの品質である場合、前記基準空き領域設定手段は、実質ゼロの基準空き領域量を設定する構成とすることができる。
【００１３】
このような構成により、記憶部に情報が記憶されるレートが通信インフラを介してネットワーク上の記憶装置に情報が記憶されるレート以上であるので、記憶部の空き領域が実質ゼロである基準空き領域量に達したとき、即ち、記憶部の空き領域が実質的になくなったときに通信インフラを介してネットワーク上の記憶装置に前記記憶部に既に記憶された情報を記憶させるようにしても、情報を適切に記憶部に記憶させることができる。
【００１４】
更に、本発明に係る情報記憶管理装置において、前記移動体は、車両であって、前記予測通信品質取得手段は、車両の現在位置から目的地までの走行経路において前記通信インフラを介した通信の予測される品質を予測通信品質として取得する構成とすることができる。
【００１５】
このような構成により、車両の現在位置から目的地までに設定されている走行経路において通信インフラを介した通信の予測される品質が予測通信品質として設定されるので、車両走行時に、その予測通信品質に応じて記憶部への情報の記憶開始のタイミング及び該記憶部からネットワーク上の記憶装置への情報の記憶開始タイミングを制御することができる。
【００１６】
また、本発明に係る情報記憶管理装置において、道路地図に表される各道路上の位置に対応付けられた前記通信インフラとの通信の品質を表す通信品質データベースを記憶するデータベース記憶部を有し、前記予測通信品質取得手段は、前記通信品質データベースを用いて前記予測通信品質を取得する構成とすることができる。
【００１７】
このような構成により、道路地図に表される各道路上の位置に対応付けられた前記通信インフラとの通信の品質を表す通信品質データベースを用いて車両の現在位置から目的地までに設定されている走行経路において予測される通信インフラとの通信の品質である予測通信品質が取得される。
【発明の効果】
【００１８】
本発明に係る情報記憶管理装置によれば、予測通信品質に応じて記憶部への情報の記憶開始のタイミング及び該記憶部からネットワーク上の記憶装置への情報の記憶開始タイミングを制御することができるので、移動体の移動にともなって通信品質が変動する状況において、移動体に設けられた記憶部及びネットワーク上の記憶装置への情報の記憶についての管理を適切に行うことができる。
【図面の簡単な説明】
【００１９】
【図１】本発明の実施の形態に係る情報記憶管理装置を含む車載機器の構成を示すブロック図である。
【図２】図１に示す車載機器において記憶部にＣＤの情報を記憶させる際の処理の流れ（その１）を示すフローチャートである。
【図３】図１に示す車載機器において記憶部にＣＤの情報を記憶させる（リッピング）際の処理の流れ（その２）を示すフローチャートである。
【図４】図１に示す車載機器において記憶部にＣＤの情報を記憶させる際の処理の流れ（その３）を示すフローチャートである。
【図５】図１に示す車載機器において記憶部にＣＤの情報を記憶させる際の処理の流れ（その４）を示すフローチャートである。
【図６】記憶部の空き領域が不足したことを表すメッセージの一例を示す図である。
【図７】記憶部の空き領域が不足したことを表すメッセージの他の一例を示す図である。
【発明を実施するための形態】
【００２０】
本発明の実施の一形態について図面を用いて説明する。
【００２１】
本発明の実施の一形態に係る情報記憶管理装置を含む車載機器は図１に示すように構成される。
【００２２】
図１において、車載機器１００は、コンピュータユニット（ＣＰＵを含む）によって構成される処理ユニット１１を有している。処理ユニット１１には、各種音源及び映像源（例えば、ＣＤ、ＤＶＤ等）の再生処理を行うＡＶユニット１７、及び自車両のルート案内等のナビゲーション処理を行うナビゲーションユニット１８が接続されている。また、処理ユニット１１には、スピーカ１６と接続される出力回路１５が接続されており、処理ユニット１１の制御のもと、ＡＶユニット１７及びナビゲーションユニット１８の処理に基づいた音声信号が出力回路１５を介してスピーカ１６に供給され、スピーカ１６からその音声信号に基づいた音が出力される。また、車載機器１００は、記憶部１４（ハードディスクユニット等）を有し、記憶部１４には、ＡＶユニット１７及びナビゲーションユニット１８にて利用される楽曲情報や地図情報等の各種情報が記憶されている。処理ユニット１１は、記憶部１４に各種情報を記憶させ（第１記憶制御手段）、また、記憶部１４から各種情報を読み出すことができる。
【００２３】
また、処理ユニット１１には、ＬＣＤ等によって構成され、映像等の各種情報を表示する表示部１３と、表示部１３上のタッチパネルや操作ボタン等にて構成され、処理に対する指示や各種情報を入力するために用いられる操作部１２とが接続されている。処理ユニット１１は、操作部１２での操作に基づいて処理を実行するとともに、処理の過程で得られた情報等を表示部１３に表示させることができる。
【００２４】
この車載機器１００は、通信部１９を有している。通信部１９は、処理ユニット１１の制御のもと、所定の移動体通信網２００（通信インフラ：携帯電話網等）を介してインターネット３００上の外部ストレージ５０（ストレージサーバ）と情報通信を行うことができる。処理ユニット１１は、記憶部１４に既に記憶された情報を読み出して、その情報を通信部１９に送信させて、移動体通信網２００を介してインターネット３００上の外部ストレージ５０に記憶させることができる（第２記憶制御手段）。
【００２５】
処理ユニット１１は、図２乃至図５に示す手順に従って、ＡＶユニット１７で再生されるＣＤの音楽データを記憶部１４（ハードディスクユニット）に所定のファイル形式に変換して記憶させる処理（リッピング）を実行する。
【００２６】
図２において、処理ユニット１１は、操作部１２にてＣＤリッピングのための操作がなされたか否かに基づいてＣＤリッピング要求の有無を判定している（Ｓ１１）。ＡＶユニット１７にＣＤがセットされた状態で操作部１２にてＣＤリッピングのための操作がなされると、処理ユニット１１は、ＣＤリッピング要求がなされたと判定し（Ｓ１１でＹＥＳ）、そのＣＤから記憶部１４にリッピングすべき情報（音楽データ）の量を取得する（Ｓ１２）。そして、処理ユニット１１は、ナビゲーションユニット１８にて車両が走行すべき経路が設定されているか否かを判定する（Ｓ１３）。
【００２７】
経路設定がなされている場合（Ｓ１３でＹＥＳ）、処理ユニット１１は、車両の現在位置から目的地までの走行経路において移動体通信網２００を介した通信の予測される通信の品質を予測通信品質として取得する（Ｓ１４：予測通信品質取得手段）。この予測通信品質は、例えば、次のようにして取得される。記憶部１４の所定の領域（データベース記憶部）には、道路地図にて表される各道路上の各位置に対応付けられた移動体通信網２００との通信品質（例えば、可能な通信速度（ｂｐｓ）にて表される）を表す通信品質データベースが格納されている。この通信品質データベースにおいて前記現在位置から目的地までの各地点に対応する通信品質の平均が予測品質として取得される。
【００２８】
このように予測通信品質を取得すると（Ｓ１４）、処理ユニット１１は、その予測通信品質とリッピングすべき音楽データの情報量とに基づいて、基準空き領域量を設定する（Ｓ１５：基準空き領域量設定手段）。この基準空き領域量は、記憶部１４から情報を前記予測通信品質（可能な通信速度（レート））にて移動通信網２００を介してインターネット３００上の外部ストレージ５０に記憶させつつＣＤの全音楽データのリッピングが可能な記憶部１４の当初に必要な空き領域の量として定められる。また、記憶部１４に音楽データをリッピングしている際に、前記予測通信品質（可能な通信速度（レート））にて移動体通信網２００を介してインターネット３００上の外部ストレージ５０に記憶を開始しなければ、全音楽データのリッピングができないとされる記憶部１４の空き領域の量であるともいえる。
【００２９】
例えば、リッピングすべき音楽データの情報量が１３１ＭＢ、リッピングのレートが３００ｂｐｓ（bit／秒）、予測通信品質（可能な通信速度（レート））が、前記リッピングのレートと同じレートでの情報通信が可能な程度の品質である場合、前記基準空き領域量は、ゼロに設定することができる。これは、記憶部１４の当初の空き領域がゼロであっても、移動通信網２００を介してインターネット３００上の外部ストレージ５０に記憶させつつＣＤの全音楽データのリッピング可能であることを意味している。また、記憶部１４に音楽データをリッピングしている際に、記憶部１４の空き領域がゼロになった時点でその予測通信品質にて移動通信網２００を介してインターネット３００上の外部ストレージ５０に記憶を開始しても間にあうということを意味する。なお、予測通信品質が前記リッピングのレートより大きいレートでの情報通信が可能な場合も、同様に、基準空き領域量は、ゼロに設定することができる。
【００３０】
また、例えば、リッピングすべき音楽データの情報量が１３１ＭＢ、リッピングのレートが３００ｂｐｓ、予測通信品質が、実質的に情報通信ができないほどの品質（０ｂｐｓ）である場合、前記リッピングすべき音楽データの情報量以上、例えば、同じ１３１ＭＢに設定することができる。この場合、記憶部１４の情報を、移動通信網２００を介してインターネット３００上の外部ストレージ５０に記憶させなくても、全音楽データのリッピング可能である。
【００３１】
更に、例えば、リッピングすべき音楽データの情報量が１３１ＭＢ、リッピングのレートが３００ｂｐｓ、予測通信品質（可能な通信速度（レート））が、前記リッピングのレートの半分のレート１５０ｂｐｓでの情報通信が可能な程度の品質である場合、前記基準空き領域量は、リッピングすべき全音楽データの情報量（１３１ＭＢ）より小さい８８ＭＢに設定することができる
【００３２】
処理ユニット１１は、上記のようにして基準空き領域量を設定すると（Ｓ１６）、記憶部１４の現在の空き領域の量が前記基準空き領域量より大きいか否かを判定する（Ｓ１７）。記憶部１４の空き領域の量が前記基準空き領域量より大きい場合（Ｓ１７でＹＥＳ）、処理ユニット１１は、即座に、ＡＶユニット１７にセットされたＣＤからの音楽データを読み出して、その再生処理を実行するとともに、該音楽データを記憶部１４に記憶させるリッピング処理を開始する（Ｓ１８：第１記憶開始制御手段）。そして、処理ユニット１１での処理は、図３に示す処理に移行する。
【００３３】
リッピングが開始すると（Ｓ１８）、図３において、処理ユニット１１は、ＣＤから読み出された音楽データを記憶部１４に順次格納する（リッピング）過程で、記憶部１４の空き領域の量を取得し（Ｓ２１）、リッピング処理が終了したか否かを確認しつつ（Ｓ２２）、前記取得した記憶部１４の現在の空き領域の量が前記基準空き領域量以下になったか否かを判定する（Ｓ２３）。そのような処理（Ｓ２１、Ｓ２２、Ｓ２３）を繰り返す過程で、記憶部１４の空き領域の量が前記基準空き領域量以下になると（Ｓ２３でＹＥＳ）、処理ユニット１１は、リッピング処理と並行して、記憶部１４に記憶された情報を読み出し、通信部１９から移動通信網２００を介した情報通信によりその読み出した情報をインターネット３００上の外部ストレージ５０に記憶させる（アップロード）処理を開始する（Ｓ２４：第２情報記憶開始制御手段）。この場合、例えば、記憶部１４により古い情報から順次外部ストレージ５０にアップロードされる。
【００３４】
その後、処理ユニット１１は、情報が読み出されつつ音楽データが順次記憶される記憶部１４の現在の空き領域の量を取得し（Ｓ２５）、その空き領域の量が所定量α以下であるか否かを判定する（Ｓ２６）。この所定量αは、例えば、実際の通信品質が予測した通信品質より悪く、このままリッピングを続けると、記憶部１４の空き領域がなくなってしまうことが予想されうる空き領域の量として設定されている。記憶部１４の現在の空き領域の量が前記所定量α以下でなければ（Ｓ２６でＮＯ）、処理ユニット１１は、前記リッピング処理が終了したか否かを判定する（Ｓ２７）。このような処理（Ｓ２５、Ｓ２６、Ｓ２７）を繰り返し実行する過程で、ＣＤから読み出される全ての音楽データの記憶部１４への格納が終了すると（Ｓ２７でＹＥＳ）、処理ユニット１１は、リッピング処理が終了したとして、一連の処理を終了する。
【００３５】
なお、リッピング処理がなされつつ、通信部１９から移動通信網２００を介した情報通信によりインターネット３００上の外部ストレージ５０への情報のアップロードが行われる過程で、記憶部１４の空き領域の量が前記所定値αを下回ると（Ｓ２６でＹＥＳ）、記憶部１４の空き領域がなくなってしまう恐れがあるとして、処理ユニット１１は、所定の緊急処理を実行し（Ｓ２８）、一連の処理を終了する。前記緊急処理として、例えば、リッピングを中断すること、また、それに加えて、それについてのメッセージを表示部１２に表示させることができる。緊急処理については、それらに限定されることはない。
【００３６】
なお、リッピング処理が開始される前において記憶部１４の空き領域の量が基準空き領域量に比べて十分に大きい場合（図２におけるＳ１７でＹＥＳ）、リッピング処理が開始された（図２におけるＳ１８）後、記憶部１４の空き領域の量が基準空き領域量に達する前に、そのリッピング処理が終了すると（図３におけるＳ２２でＹＥＳ）、処理ユニット１１は、そのまま一連の処理を終了する。
【００３７】
一方、リッピング処理が開始される前において、記憶部１４の空き領域の量が前記基準空き領域量を越えていないと（図２におけるＳ１７でＮＯ）、処理ユニット１１での処理は、図４に示す処理に移行する。図４において、処理ユニット１１は、記憶部１４の情報を削除する旨を、例えば、図６に示すように、表示部１３の画面に表示させる（Ｓ３１）。これに対して、利用者が、図６に示すようにメッセージが表示された表示部１３の画面において、情報の削除に同意するために「ＹＥＳ」ボタンを操作すると（Ｓ３２でＹＥＳ）、処理ユニット１１は、空き領域の量が基準空き領域量を超えるように、記憶部１４の情報を削除する（Ｓ３４）。この場合、例えば、記憶部１４からより古い情報が削除される。一方、表示部１３の画面において、情報の削除に同意しないことを表す「ＮＯ」ボタンが操作されると（Ｓ３２でＮＯ），処理ユニット１１は、リッピング処理を実行することなく（Ｓ３３）、一連の処理を終了する。
【００３８】
上述したように、記憶部１４からの情報が削除されて（Ｓ３４）、記憶部１４の空き領域の量が前記基準空き領域量を越えた状態になると、処理ユニット１１は、再度、走行経路が設定されているか否かを判定する（Ｓ３５）。そして、走行経路が設定されていれば、前述したように設定した基準空き領域量が有効であるとして、処理ユニット１１は、図２に示すステップ１６に戻り、記憶部１４の現在の空き領域の量を取得し（Ｓ１６）、その空き領域の量が前記基準空き領域量を越えていることを確認して（Ｓ１７でＹＥＳ）、リッピング処理を開始する（Ｓ１８）。以後、前述したのと同様の処理（図３におけるＳ２１〜Ｓ２７、Ｓ２８）に従って、リッピング処理を実行し、ＣＤから読み出された全音楽データが記憶部１４に記憶される。
【００３９】
一方、車両の目的地までの走行経路が設定されていない状況（図２におけるＳ１３でＮＯ、図４におけるＳ３５でＮＯ）では、処理ユニット１１の処理は、図５に示す処理に移行する。図５において、処理ユニット１１は、記憶部１４にＣＤの全音楽データを格納できるだけの領域が確保されているか否かを判定する（Ｓ４１）。記憶部１４に全音楽データを格納することのできる領域が確保されていれば（Ｓ４１でＹＥＳ）、処理ユニット１１は、リッピング処理を開始し（Ｓ４２）、ＣＤの全音楽データの記憶部１４への記憶が終了して、リッピング処理が終了すると（Ｓ４３でＹＥＳ）、一連の処理を終了する。
【００４０】
一方、記憶部１４に全音楽データを格納することのできる領域が確保されていないと（Ｓ４１でＮＯ）、処理ユニット１１での処理は、図４に示す処理に移行し、処理ユニット１１は、前述した記憶部１４の情報を削除（Ｓ３１、Ｓ３２でＹＥＳ、Ｓ３４）した後に、リッピング処理を実行する（Ｓ３５でＹＥＳ、図２におけるＳ１６〜Ｓ１８、図３に示す処理）。また、記憶部１４の情報を削除しない場合、リッピング処理を行わない（Ｓ３３）。
【００４１】
なお、記憶部１４の空き領域の量が基準空き領域量を越えていない場合（図２におけるＳ１７でＮＯ）、前述したように、記憶部１４の情報を削除することを利用者に確認することなく、処理ユニット１１は、例えば、図７に示すように、リッピング処理ができない旨を表示部１３に表示させて、そのまま、リッピング処理を行うことなく、一連の処理を終了させることができる。
【００４２】
前述したような車載機器に含まれる情報記憶管理装置では、記憶部１４の空き領域の量が、車両の走行経路での予想通信品質に基づいて設定された基準空き領域量より大きいときに、ＣＤから読み出された音楽データの記憶部１４への記憶（リッピング）が開始される。そして、記憶部１４の空き領域の量が前記基準空き領域量に達したときに、記憶部１４に既に記憶されている情報の、通信部１９による移動通信網２００を介したインターネット３００上の外部ストレージへのアップロードが開始される。このように、基準空き領域量が予測通信品質に基づいて設定されるので、その予測通信品質に応じて記憶部１４への情報の記憶開始のタイミング及び記憶部１４からインターネット３００上の外部ストレージ５０への情報の記憶開始タイミングが制御される。このように、予測通信品質に応じて記憶部１４への音楽データの記憶開始のタイミング及び記憶部１４からインターネット３００上の外部ストレージ５０への情報の記憶開始タイミングが制御されるので、車両の走行にともなって通信品質が変動する状況において、記憶部１４及びインターネット３００上の外部ストレージ５０への情報の記憶についての管理を適切に行うことができる。
【００４３】
具体的には、ＣＤの全音楽データの容量分の空き領域が記憶部１４に確保されていなくても、記憶部１４の空き領域の量が基準空き領域量を越えていれば、外部ストレージ５０への情報の転送を待機することなく、即座にＣＤからの音楽データのリッピングを開始することができる。そして、記憶部１４の空き領域の量が基準空き領域量に達するまで、先行して音楽データのリッピング処理をすることができるので、音楽データをより速いタイミングにて記憶部１４に溜めおいて、その音楽データをより速いタイミングから応答性よく再生可能な状態におくことができる。
【００４４】
例えば、記憶部１４に音楽データが記憶（リッピング）されるレート（例えば、３００ｂｐｓ）が移動通信網２００を介してインターネット３００上の外部ストレージに情報が記憶されるレート（例えば、３００ｂｐｓ）以上であると、基準空き領域量が実質ゼロに設定される。この場合、記憶部１４の空き領域が実質的になくなったときに移動通信網２００を介してインターネット３００上の外部ストレージに記憶部１４に既に記憶された情報を記憶させるようにしても、音楽データを適切に記憶部１４に記憶（リッピング）させることができる。従って、特に、記憶部１４の空き領域がほとんどなくても（基準空き領域がゼロ）、外部ストレージ５０への情報の転送を待機することなく、即座にＣＤからの音楽データのリッピングを開始することができる。
【００４５】
なお、走行経路の通信品質は、前述したように、記憶部１４に格納された通信品質データベースを用いて算出するものでなくても、他の手法によって取得されるものであってもよい。例えば、インターネット３００上の所定の管理サーバから通信品質データを取得するものであってもよい。また、車両が走行する地域的な特徴（市街地、山間部等）に基づいて、予測通信品質が予め決められているものであってもよい。更に、予測通信品質が１回のリッピングがなされている間に、変化するものであってもよい。この場合、その予測通信品質と各時点でのリッピングすべき音楽データの残量等に基づいて各時点での基準空き領域量を決めることができる。
【産業上の利用可能性】
【００４６】
以上、説明したように、本発明に係る情報記憶管理装置は、移動体の移動にともなって通信品質が変動する状況において、移動体に設けられた記憶部及びネットワーク上の記憶装置への情報の記憶についての管理を適切に行うことができるという効果を有し、車両等の移動体に設けられたＨＤＤ等の記憶部及びインターネット等のネットワーク上の記憶装置への情報の記憶についての管理を行う情報記憶管理装置として有用である。
【符号の説明】
【００４７】
１１  処理ユニット
１２  操作部
１３  表示部
１４  記憶部
１５  出力回路
１６  スピーカ
１７  ＡＶユニット
１８  ナビゲーションユニット
１９  通信部
５０  外部ストレージ
１００  車載機器
２００  移動通信網（通信インフラ）
３００  インターネット
【図１】
2014165567.tif 000003
【図２】
2014165567.tif 000004
【図３】
2014165567.tif 000005
【図４】
2014165567.tif 000006
【図５】
2014165567.tif 000007
【図６】
2014165567.tif 000008
【図７】
2014165567.tif 000009